(57)【要約】【課題】発光素子からの光を確実に集光することで明るさの向上および放熱特性の向上を図ることができる防露型照明器具を提供する。【解決手段】防露型照明器具１０は、発光素子１１を実装した光源基板１２と、光源基板１２に対向する前面パネル１３と、光源基板１２と前面パネル１３とを収納する灯具１４と、を有し、光源基板１２と前面パネル１３との間に透光性樹脂１５を充填し、光源基板１２と前面パネル１３との間に発光素子１１からの光を反射させる反射板１６を光源基板１２に接して設けた。【選択図】図１
2010003453.tif 000002
【特許請求の範囲】
【請求項１】
発光素子を実装した光源基板と、
前記光源基板に対向する前面パネルと、
前記光源基板と前記前面パネルとを収納する灯具と、
を有し、
前記光源基板と前記前面パネルとの間に透光性樹脂を充填する防露型照明器具であって、
前記光源基板と前記前面パネルとの間に前記発光素子からの光を反射させる反射板を当該光源基板に接して設けることを特徴とする防露型照明器具。
【発明の詳細な説明】
【技術分野】
【０００１】
本発明は、屋外等の雨水を直接受ける場所に設置される防露型照明器具に関する。
【背景技術】
【０００２】
従来の防露型照明器具の一例として、反射部を有する光照射方向制限部内に発光素子を組み付け、発光素子を含んで光照射方向制限部内に透光性封止材料を充填した防露型照明器具が知られている（例えば、特許文献１参照）。
【特許文献１】特開２００４−０５６０７５号公報（図２、段落００１３）
【発明の開示】
【発明が解決しようとする課題】
【０００３】
通常、光源としてランプを用いた防露型照明器具は、本体にソケット台を取付け、ソケット台に取付けられたソケットに光源を取り付けている。光源は向かい合った前面パネルとパッキン、それらを押え付ける枠と本体により密閉された灯具内部の空間に配置される。そして、施工時やランプメンテナンス時に前面パネルを取り外して行うために水分含有量の制限できない空気が密閉された灯具内部の空間に流入する。
そのため、灯具内部の空間への空気の流入を防止するために透光性樹脂で充填すると、ランプ寿命などでのランプ交換ができない。
【０００４】
一方、上記特許文献１に開示された防露型照明器具のように、光源として発光素子を実装した光源基板の場合、目的の明るさに合わせて光源基板を１つ、もしくは複数使用する。さらに上方に光を集中させるためにレンズである透光性封止材料を用いる場合は、屈折を利用してその集光効果を得ようとしている。
しかし、このような場合、屈折率の近い透光性樹脂は充填できないために、空間が必要になり、レンズを用いながら透光性樹脂を充填した場合は狙った方向へ集光できないとともに放熱性に課題があった。
加えて、内部の空間と外部の温度差により、施工時やメンテナンス時に水分合有量の制限できない空気が内部空間に流入して結露が生じ、それに伴う見栄えの品質低下や内部給電部品の故障やレンズヘの付着による集光性の低下、さらに光源やレンズの汚れによる明るさの低下を招いていた。
【０００５】
本発明は、前述した要望を満たすためになされたもので、その目的は、発光素子からの光を確実に集光することで明るさの向上および放熱特性の向上を図ることができる防露型照明器具を提供することにある。
【課題を解決するための手段】
【０００６】
本発明に係る防露型照明器具は、発光素子を実装した光源基板と、前記光源基板に対向する前面パネルと、前記光源基板と前記前面パネルとを収納する灯具と、を有し、前記光源基板と前記前面パネルとの間に透光性樹脂を充填する防露型照明器具であって、前記光源基板と前記前面パネルとの間に前記発光素子からの光を反射させる反射板を当該光源基板に接して設けることを特徴とする。
【０００７】
光源基板と前面パネルとの間に発光素子からの光を反射させる反射板を光源基板に接して設けたので、光源基板と前面パネルとの間のすべてに透光性樹脂を充填しても、発光素子からの光を確実に集光することができる。
よって、従来のように、狙った方向へ集光できない、放熱性に課題がある、結露による見栄えの品質低下、内部給電部品の故障、レンズヘの付着による集光の低下、光源やレンズの汚れによる明るさの低下を解消することができる。
また、透光性樹脂を充填することにより光源基板から上部への放熱も可能となるために、放熱特性の向上を図って光源寿命の延長も可能となる。
【発明の効果】
【０００８】
本発明の防露型照明器具によれば、発光素子を実装した光源基板と、光源基板に対向する前面パネルと、光源基板と前面パネルとを収納する灯具と、を有し、光源基板と前面パネルとの間に透光性樹脂を充填する防露型照明器具において、光源基板と前面パネルとの間に発光素子からの光を反射させる反射板を光源基板に接して設けた。
これにより、発光素子からの光を確実に集光することで明るさの向上および放熱特性の向上を図ることができるという効果を有する。
【発明を実施するための最良の形態】
【０００９】
以下、本発明の実施形態に係る防露型照明器具について、図面を参照して説明する。
図１に示すように、本発明の一実施形態の防露型照明器具１０は、複数の発光素子１１と、複数の発光素子１１をそれぞれ実装した複数の光源基板１２と、光源基板１２に対向する前面パネル１３と、光源基板１２と前面パネル１３とを収納する灯具１４と、光源基板１２と前面パネル１３との間に透光性樹脂を充填した透光性樹脂部１５と、反射板１６と、を有して地面７０内に埋設される。
【００１０】
発光素子１１は、ＬＥＤ（Light Emitting Diode）であって、光源基板１２に有する不図示の回路パターンに実装されている。
【００１１】
光源基板１２は、灯具１４の一部を構成する光源基板取付本体１７の前面に固定されている。光源基板１２は、電源線１８に電気的に接続されており、電源線１８は電源１９に電気的に接続されている。光源基板１２は電源１９から与えられた電流によって発光素子１１を発光させる。
【００１２】
前面パネル１３は、透明や所定の色のガラス製や樹脂製であって灯具１４の他の一部を構成するケース２０の前面に固定されている。
【００１３】
灯具１４は、ケース２０と、枠部材２１と、パッキン２２と、枠締結ねじ２３と、ナット２４と、光源基板取付本体１７と、からなり、発光素子１１、光源基板１２、前面パネル１３を収納する。
【００１４】
ケース２０は、金属製や硬質の樹脂製であって上方を開口させた有底の円筒形状に形成されている。ケース２０は上方開口側に前面パネル１３取付け用の段部２５と、枠締結ねじ固定用のフランジ２６と、を有する。
【００１５】
枠部材２１は、金属製であって、予め定められた厚さを有して円環形状に形成されている。枠部材２１は例えば円周方向の４箇所にねじ孔２７を形成している。
【００１６】
光源基板取付本体１７は、金属製や硬質の樹脂製であって断面視コ字形状に形成されており、ケース２０の内周における所定位置に固定される。光源基板取付本体１７は、ケース２０内に透光性樹脂部１５を充填する際に隔壁の役割をする。
【００１７】
透光性樹脂部１５は、透光性のある透明や所定の色の樹脂製であって光源基板取付本体１７と前面パネル１３との間のすべてに充填されている。
【００１８】
反射板１６は、透光性のない金属製や硬質な樹脂製であって発光素子１１の外側前方に発光素子１１側に凹の半球形状に形成されている。反射板１６は、反射板ベース２８の湾曲面に、例えばＡｌの蒸着やＡｇやＡｌのスパッタリングによって反射層２９を形成している。反射層２９は、Ａｌの蒸着やＡｇやＡｌのスパッタリングに代えて金属製の反射膜を貼り付けたり、ダイカストによって成形したりしても良い。
【００１９】
反射板１６は、透光性樹脂部１５内において、その基部３０を光源基板１２に接触させて光源基板１２に固定しているために、その反射層２９によって発光素子１１の発した光を、透光性樹脂部１５を通じて前面パネル１３から外部へ照射させる。
【００２０】
このような防露型照明器具１０は、組立にあたり、ケース２０の所定位置に光源基板取付本体１７を固定し、パッキン２２を外周に嵌め付けた前面パネル１３をケース２０の段部２５に落とし込む。
【００２１】
そして、枠部材２１を前面パネル１３の外周部に嵌め付け、枠締結ねじ２３を枠部材のねじ孔２７からケース２０のフランジ２６に挿通し、フランジ２６の裏側に配置したナット２４に枠締結ねじ２３をねじ込んで前面パネル１３をケース２０に固定する。
【００２２】
次に、前面パネル１３と光源基板取付本体１７との間に透光性樹脂材料を充填することで、発光素子１１、光源基板１２、反射板１６を一体的に内装した透光性樹脂部１５を成形する。そして、組み立てられた防露型照明器具１０を地面７０に埋設する。
【００２３】
図２に示すように、通電により発光素子１１の発した光αは、反射板１６の反射層２９により反射して透光性樹脂部１５を透過し、前面パネル１３を透過して外部へ照射される。
【００２４】
このとき、透光性樹脂部１５によって前面パネル１３と光源基板取付本体１７との間に空間を形成しないために空気は存在しない。そのため、発光素子１１からの光αは反射板１６の反射層２９と透光性樹脂部１５と前面パネル１３とによって集光されて外部を照射する。
【００２５】
また、発光素子１１の発光に伴う発光熱は、光源基板１２から反射板１６に伝播され、さらに透光性樹脂部１５へと伝播されるために、反射板１６の背面における透光性樹脂部１５の反射板背面部３１に効率よく伝わり、この反射板背面部３１によって放熱を行う。
【００２６】
本実施形態では、光源基板１２と前面パネル１３との間に発光素子１１からの光を反射させる反射板１６を光源基板１２に接して設けた。
よって、光源基板１２と前面パネル１３との間のすべてに透光性樹脂部１５を充填しても、発光素子１１からの光を確実に集光することができる。
これにより、従来のように、狙った方向へ集光できない、放熱性に課題がある、結露による見栄えの品質低下、内部給電部品の故障、レンズヘの付着による集光性の低下、光源やレンズの汚れによる明るさの低下を解消することができる。
【００２７】
また、光源基板１２と前面パネル１３との間のすべてに透光性樹脂部１５を充填した。
よって、透光性樹脂部１５を充填することにより光源基板１２から上部への放熱も可能となるために、放熱特性の向上を図って光源寿命の延長も可能とすることができる。
【００２８】
なお、前記実施形態で使用した発光素子１１、光源基板１２の数は例示したものに限定するものではなく適宜変更が可能である。
【図面の簡単な説明】
【００２９】
【図１】本発明に係る一実施形態の防露型照明器具の縦断面図
【図２】本発明に係る一実施形態の防露型照明器具の要部断面図
【符号の説明】
【００３０】
１０  防露型照明器具
１１  発光素子
１２  光源基板
１３  前面パネル
１４  灯具
１５  透光性樹脂部（透光性樹脂）
１６  反射板
【図１】
2010003453.tif 000003
【図２】
2010003453.tif 000004